(57)【要約】【課題】無線電話機を机の上等に置いた状態でバイブレータが振動すると騒音を発生したり、無線電話機が移動してしまい机の上から落下して壊れる。【解決手段】着信があると着信音を鳴らさないで前記バイブレータを振動させる振動ステップ（Ａ１）と、マイク１０２から周辺の音を入力して騒音の周波数特性を測定する測定ステップ（Ａ３）と、騒音の原因がバイブレータ１０５の振動によるものか否かを周波数特性から判別する判別ステップ（Ａ４）と、騒音の原因がバイブレータ１０５の振動によるものである場合はバイブレータ１０５の振動の強度を弱める振動制御ステップ（Ａ５）と、バイブレータ１０５の振動の強度を弱めると振動が停止するか否かを判断し、振動の強度を弱めると振動が停止してしまう場合は、バイブレータ１０５からスピーカ１０３を含む着信手段に変更する変更ステップ（Ａ６）と、を備える【選択図】　　　図１
2004129120.tif 000002
【特許請求の範囲】
【請求項１】
マイクから周辺の音を入力して騒音を測定する騒音測定手段と、
前記騒音測定手段で測定した騒音の原因がバイブレータによるものか否かを判別する騒音原因判別手段と、
前記騒音原因判別手段による判別結果に基づいて前記バイブレータの振動の強度を制御する振動制御手段と、
を備えることを特徴とするバイブレータ制御機能付き無線電話機。
【請求項２】
前記騒音原因判別手段が、
前記バイブレータの固有振動周波数範囲において前記騒音測定手段で測定した騒音のピークが発生しているか否かに基づいて、前記バイブレータが原因となって発生する騒音を判別することを特徴とする請求項１に記載のバイブレータ制御機能付き無線電話機。
【請求項３】
前記騒音原因判別手段が、
予め前記バイブレータの固有振動周波数範囲をデータベースに格納していることを特徴とする請求項１に記載のバイブレータ制御機能付き無線電話機。
【請求項４】
前記騒音原因判別手段が、
前記バイブレータを間欠で振動させて、振動している状態下で測定した騒音の周波数特性と振動していない状態下での騒音の周波数特性との差に基づいて、前記バイブレータが原因となって発生する騒音を判別することを特徴とする請求項１に記載のバイブレータ制御機能付き無線電話機。
【請求項５】
周辺の音を入力して騒音の周波数特性を測定し、
測定した前記周波数特性に基づいて、騒音の原因がバイブレータによるものか否かを判別し、
前記判別の結果によって前記バイブレータの振動の強度を制御する
ことを特徴とするバイブレータ制御機能付き無線電話機。
【請求項６】
バイブレータを含む無線電話機のバイブレータ制御方法であって、
前記バイブレータを着信時に振動させる振動ステップと、
前記無線電話機の周辺の音を入力して騒音の周波数特性を測定する測定ステップと、
前記測定ステップで測定した前記周波数特性から騒音の原因を判別する判別ステップと、
騒音の原因が前記バイブレータの振動によるものであれば前記バイブレータの振動の強度を制御する振動制御ステップと、
を備えることを特徴とする無線電話機のバイブレータ制御方法。
【請求項７】
バイブレータ、マイク、スピーカを含む無線電話機のバイブレータ制御方法であって、
着信があると着信音を鳴らさないで前記バイブレータを振動させる振動ステップと、
前記マイクから周辺の音を入力して騒音の周波数特性を測定する測定ステップと、
騒音の原因が前記バイブレータの振動によるものか否かを前記周波数特性から判別する判別ステップと、
騒音の原因が前記バイブレータの振動によるものである場合は前記バイブレータの振動の強度を弱める振動制御ステップと、
前記バイブレータの振動の強度を弱めると振動が停止するか否かを判断し、振動の強度を弱めると振動が停止してしまう場合は、前記バイブレータから前記スピーカを含む着信手段に変更する変更ステップと、
を備えることを特徴とする無線電話機のバイブレータ制御方法。
【請求項８】
前記判別ステップが、
前記バイブレータの固有振動周波数範囲において前記測定ステップで測定した騒音のピークが発生しているか否かに基づいて、前記バイブレータが原因となって発生する騒音を判別することを特徴とする請求項６又は７に記載の無線電話機のバイブレータ制御方法。
【請求項９】
前記バイブレータの固有振動周波数範囲が、
事前に計測されて前記無線電話機に備えるデータベースに予め格納されていることを特徴とする請求項６又は７に記載の無線電話機のバイブレータ制御方法。
【請求項１０】
前記判別ステップが、
前記バイブレータを間欠で振動させて、振動している状態下で測定した騒音の周波数特性と振動していない状態下での騒音の周波数特性との差に基づいて、前記バイブレータが発生する騒音を判別することを特徴とする請求項６又は７に記載の無線電話機のバイブレータ制御方法。
【発明の詳細な説明】
【０００１】
【発明の属する技術分野】
本発明は無線電話機に関し、特に着信通知手段であるバイブレータを制御する無線電話機に関する。
【０００２】
【従来の技術】
従来の無線電話機の着信通知自動制御装置は、着信時、携帯電話機の周囲の騒音を判断して、この騒音の音圧データと予め設定した音圧データのサンプルとを比較し、周囲の環境条件に適合する着信通知手段（スピーカ又はバイブレータ）を選択し、スピーカを選択した場合は音量を制御している。街頭などの騒音の大きい場所や、図書館などの騒音の小さい場所では、周囲の環境、状況にあわせて使用者が手動によって音量設定を変更するという煩わしさを解消している。これらの技術が特開平１０−３４１４６４号公報に開示されている。
【０００３】
【特許文献１】
特開平１０−３４１４６４号広報（段落００１４、図１、図２）
【０００４】
【発明が解決しようとする課題】
しかしながら、従来の技術において着信通知手段としてバイブレータを選定した場合、無線電話機を机の上等に置いた状態でバイブレータが振動すると騒音を発生したり、無線電話機が移動してしまい机の上から落下して壊れるという問題点があった。本発明は、これらの問題点を解決することを目的とする。
【０００５】
【課題を解決するための手段】
本発明のバイブレータ制御機能付き無線電話機は、マイクから周辺の音を入力して騒音を測定する騒音測定手段と、前記騒音測定手段で測定した騒音の原因がバイブレータによるものか否かを判別する騒音原因判別手段と、前記騒音原因判別手段による判別結果に基づいて前記バイブレータの振動の強度を制御する振動制御手段と、を備えることを特徴とする。
【０００６】
本発明のバイブレータ制御機能付き無線電話機は、前記騒音原因判別手段が、前記バイブレータの固有振動周波数範囲において前記騒音測定手段で測定した騒音のピークが発生しているか否かに基づいて、前記バイブレータが原因となって発生する騒音を判別することを特徴とする。
【０００７】
本発明のバイブレータ制御機能付き無線電話機は、前記騒音原因判別手段が、予め前記バイブレータの固有振動周波数範囲をデータベースに格納していることを特徴とする。
【０００８】
本発明のバイブレータ制御機能付き無線電話機は、前記騒音原因判別手段が、前記バイブレータを間欠で振動させて、振動している状態下で測定した騒音の周波数特性と振動していない状態下での騒音の周波数特性との差に基づいて、前記バイブレータが原因となって発生する騒音を判別することを特徴とする。
【０００９】
本発明のバイブレータ制御機能付き無線電話機は、周辺の音を入力して騒音の周波数特性を測定し、測定した前記周波数特性に基づいて、騒音の原因がバイブレータによるものか否かを判別し、前記判別の結果によって前記バイブレータの振動の強度を制御することを特徴とする。
【００１０】
本発明の無線電話機のバイブレータ制御方法は、バイブレータを含む無線電話機のバイブレータ制御方法であって、前記バイブレータを着信時に振動させる振動ステップと、前記無線電話機の周辺の音を入力して騒音の周波数特性を測定する測定ステップと、前記測定ステップで測定した前記周波数特性から騒音の原因を判別する判別ステップと、騒音の原因が前記バイブレータの振動によるものであれば前記バイブレータの振動の強度を制御する振動制御ステップと、を備えることを特徴とする。
【００１１】
本発明の無線電話機のバイブレータ制御方法は、バイブレータ、マイク、スピーカを含む無線電話機のバイブレータ制御方法であって、着信があると着信音を鳴らさないで前記バイブレータを振動させる振動ステップと、前記マイクから周辺の音を入力して騒音の周波数特性を測定する測定ステップと、騒音の原因が前記バイブレータの振動によるものか否かを前記周波数特性から判別する判別ステップと、騒音の原因が前記バイブレータの振動によるものである場合は前記バイブレータの振動の強度を弱める振動制御ステップと、前記バイブレータの振動の強度を弱めると振動が停止するか否かを判断し、振動の強度を弱めると振動が停止してしまう場合は、前記バイブレータから前記スピーカを含む着信手段に変更する変更ステップと、を備えることを特徴とする。
【００１２】
本発明の無線電話機のバイブレータ制御方法は、前記判別ステップが、前記バイブレータの固有振動周波数範囲において前記測定ステップで測定した騒音のピークが発生しているか否かに基づいて、前記バイブレータが原因となって発生する騒音を判別することを特徴とする。
【００１３】
本発明の無線電話機のバイブレータ制御方法は、前記バイブレータの固有振動周波数範囲が、事前に計測されて前記無線電話機に備えるデータベースに予め格納されていることを特徴とする。
【００１４】
本発明の無線電話機のバイブレータ制御方法は、前記判別ステップが、前記バイブレータを間欠で振動させて、振動している状態下で測定した騒音の周波数特性と振動していない状態下での騒音の周波数特性との差に基づいて、前記バイブレータが発生する騒音を判別することを特徴とする。
【００１５】
【発明の実施の形態】
本発明の実施の形態について図面を参照して詳細に説明する。
【００１６】
図１は、本発明の実施例による無線電話機の構成を示すブロック図である。本発明の無線電話機１０は、無線部１０１、マイク１０２、スピーカ１０３、レシーバ１０４、バイブレータ１０５、制御部１０６、操作キー１０７、ＬＣＤ（Ｌｉｑｕｉｄ　Ｃｒｙｓｔａｌ　Ｄｉｓｐｌａｙ：液晶モニターディスプレイ）１０８及びＬＥＤ（Ｌｉｇｈｔ　Ｅｍｉｔｔｉｎｇ　Ｄｉｏｄｅ：発光ダイオード）１０９を含んで構成される。制御部１０６によって全てが制御され（マイク１０２、バイブレータ１０５、操作キー１０７を含む全ての構成品を含めて制御される）、マイク１０２より音声データを入力し、レシーバ１０４から音声データを出力し、ＡＤＰＣＭ（Ａｄａｐｔｉｖｅ　Ｄｉｆｆｅｒｅｎｔｉａｌ　ＰＣＭ：適応差分パルス符号変調）データを無線部１０１で入出力する。着信時はＬＥＤ１０９の点滅とスピーカ１０３からの着信音またはバイブレータ１０５の振動によって使用者に通知する。使用者は操作キー１０６によって無線電話機１０の操作が可能であり、ＬＣＤ１０８を見ることにより無線電話機１０の状態を知ることが可能である。
【００１７】
制御部１０６は、無線電話機１０の周辺の音をマイク１０２から入力して騒音を測定する騒音測定手段、測定した騒音の原因がバイブレータ１０５によるものか否かを判別する騒音原因判別手段、バイブレータ１０５の振動の強度を制御する振動制御手段などの機能を備える。騒音原因判別手段の機能では、バイブレータ１０５の固有振動周波数範囲において、測定した騒音のピークが発生しているか否かに基づいて、バイブレータ１０５が原因となって発生する騒音を判別し、予めバイブレータ１０５の固有振動周波数範囲を無線電話機１０に備えたデータベース（図示しない）に格納し、バイブレータ１０５を間欠で振動させて、振動している状態下で測定した騒音の周波数特性と振動していない状態下での騒音の周波数特性との差に基づいて、バイブレータ１０５が原因となって発生する騒音を判別する。
【００１８】
次に、本発明の実施の形態の動作について図面を参照して説明する。
【００１９】
図２は、本実施例の制御部１０６の動作を示すフローチャートである。無線電話機１０が、机やイスの上、床や畳の上、あるいは本の上などに置かれた状態、又はグラスなどの壊れやすい物の近くに置かれた状態であると本発明はより効果的である。
【００２０】
制御部１０６は着信があるとマナーモード等で着信音を鳴らさない設定でバイブレータ１０５をＯＮさせる（ステップＡ１）。使用者が着信に気付き、操作キー１０７にある受話キーが押すとバイブレータ１０５がＯＦＦされ無線電話機１０は受話モードに入り、それ以外の場合には継続してバイブレータ１０５が振動（振動ステップ）する（ステップＡ２）。制御部１０６はマイク１０２から周辺の音を入力し騒音を測定する。この騒音測定においては、例えば、周波数対音圧レベルで示される周波数特性を取得（測定ステップ）する（ステップＡ３）。次に、制御部１０６は騒音の原因がバイブレータ１０５の振動によるものか否かを周波数特性等から判別（判別ステップ）する（ステップＡ４）。この判別では、測定した騒音の原因がバイブレータ１０５の振動によるものを判別すればよく、バイブレータ１０５の振動の周波数（例えば、固有振動周波数範囲が３０〜１００Ｈｚ）で騒音が発生しているか否かに基づいて、発生する騒音を判別することが可能である。この固有振動周波数範囲で騒音のピークが発生している場合はバイブレータ１０５の振動を原因とする騒音として判別できる。また、バイブレータ１０５を間欠で動作させて、振動している状態下で測定した騒音の周波数特性と振動していない状態下での騒音の周波数特性との差に基づいてバイブレータ１０５の振動を原因として発生する騒音を判別することも可能である。
【００２１】
判別の結果、バイブレータ１０５の振動によるもので無ければ騒音の測定を継続し、騒音の原因がバイブレータ１０５の振動によるものである場合は振動を低減（振動の強度を弱める振動制御ステップ）させる（ステップＡ５）。バイブレータ１０５の振動を低減（振動の強度を弱める）させると振動が停止するか否かを判断し、これ以上バイブレータ１０５の振動を低減（振動の強度を弱める）させると振動が停止してしまう場合は他の着信通知手段（スピーカ１０３、ＬＥＤ１０９など）に変更（変更ステップ）し、バイブレータ１０５の振動を低減（振動の強度を弱める制御）させても振動が停止しない場合はマイク１０２から周辺の音を入力して騒音の測定を継続する（ステップＡ６）。
【００２２】
【発明の効果】
第１の効果は、机の上などに置かれた無線電話機のバイブレータが振動して騒音を発生した場合、この発生した騒音を感知し振動の強度を弱めたり又は他の着信通知手段に変更することによって、騒音の発生を防止できることである。
【００２３】
第２の効果は、机の上などに置かれた無線電話機のバイブレータが振動して机との間で騒音を発生して移動するような場合、この発生した騒音を感知し振動の強度を弱めたり又は他の着信通知手段に変更することによって、無線電話機が机の上から落下することを防止できることである。
【００２４】
第３の効果は、グラスなどの壊れやすい物の近くに置かれた無線電話機のバイブレータが振動して騒音を発生した場合、この発生した騒音を感知し振動の強度を弱めたり又は他の着信通知手段に変更することによって、グラスなどの壊れやすい物と振動している無線電話機との接触による破損を防止できることである。
【００２５】
第４の効果は、机の上などに置かれた無線電話機のバイブレータが振動して机との間で騒音を発生した場合、この発生した騒音を感知し振動の強度を弱めたり又は他の着信通知手段に変更することによって、無線電話機の故障原因にもなりかねない不必要な振動を無線電話機に与えないことである。
【００２６】
第５の効果は、机の上などに置かれた無線電話機のバイブレータが振動して机との間で騒音を発生した場合、この発生した騒音を感知し振動の強度を弱めたり又は他の着信通知手段に変更することによって、バイブレータの振動強度によっては消費電力の低減が期待できることである。
【図面の簡単な説明】
【図１】本発明の実施例による無線電話機の構成を示すブロック図である。
【図２】本発明の実施例による制御部の動作を示すフローチャートである。
【符号の説明】
１０　　無線電話機
１０１　　無線部
１０２　　マイク
１０３　　スピーカ
１０４　　レシーバ
１０５　　バイブレータ
１０６　　制御部
１０７　　操作キー
１０８　　ＬＣＤ
１０９　　ＬＥＤ
【図１】
2004129120.tif 000003
【図２】
2004129120.tif 000004